(57)【要約】      （修正有）【課題】可能な限りコンパクトで、収納部に収納する厚みが全体的に薄く、１８０度まで広げて使用可能であり、かつ収納時に防水シートの重なりを適切に処理することにより防水シートの骨部材からのはみ出しを最小限に設定した装置を提供する。【解決手段】支持軸１３ｘに対し複数の骨部材１１を重ねて回転自在に取り付けた雨よけ部１０と、これを収納する収納部２０と、雨よけ部１０の支持軸１３ｘの周りに回転自在に取り付けられた骨部材１１を回転駆動する出力軸３０ｘを有する駆動部３０とを備え、雨よけ部１０は複数の骨部材１１を半径方向に延びる帯状薄板とし、複数の骨部材１１の上面に防水シートを被せ、かつ開放時に引出側となる骨部材は出力軸３０ｘに固定し、雨よけ部１０の外周縁１２ａ上で隣接する骨部材１１と骨部材１１間の防水シート１２の幅が、収納時に骨部材１１の幅から垂れ下がるほどはみ出ない幅となるように設定したものである。【選択図】図１
2008074344.tif 000002
【特許請求の範囲】
【請求項１】
支持軸１３ｘに対し複数の骨部材１１を重ねて回転自在に取り付けた雨よけ部１０と、この雨よけ部１０を収納する収納部２０と、雨よけ部１０をその少なくとも１の骨部材を回転させて開閉する出力軸３０ｘを有する駆動部３０とを備え、雨よけ部１０は複数の骨部材１１を半径方向に延びる帯状薄板とし、複数の骨部材１１の少なくとも上面に防水シート１２を被せ、かつ開放時に引出側となる骨部材１１は出力軸３０ｘに固定し、雨よけ部１０の外周円上で隣接する骨部材１１と骨部材１１間の防水シート１２の幅が、収納時に骨部材１１の幅から垂れ下がるほどはみ出ない幅となるように設定した自動車用雨よけ装置。
【請求項２】
前記複数の骨部材１１の裏面にそれぞれの骨部材１１を挿入することが出来る幅のポケット１２’を所定の間隔で設け、各骨部材１１をこのポケット１２’に挿入して骨部材１１を防水シート１２に取り付けるようにしたことを特徴とする請求項１に記載の自動車用雨よけ装置。
【請求項３】
前記骨部材１１を合成樹脂材とし、かつ雨よけ部１０を半円状に開いたとき骨部材１１と防水シート１２の重さで外周縁１２ａが垂れ下がりを生じない所定の弾力性を有する材料としたことを特徴とする請求項１又は２に記載の自動車用雨よけ装置。
【発明の詳細な説明】
【技術分野】
【０００１】
この発明は、主として自動車の運転者等（同乗者を含む）が運転席や後部座席（以下運転席等という）に出入りする際に、雨に濡れないように運転席等の入出口の上付近に設置されて雨よけする自動車用雨よけ装置に関する。
【背景技術】
【０００２】
自動車の運転席に運転者が入出する際には、傘を閉じドアーを開いて乗り込む、又は運転席から出た後傘を開くため、その間は雨に濡れる。運転席への乗降の際に雨に濡れるのを防ぐ手段として種々の形式の雨よけ装置が提案されている。雨よけ装置の形式として、帯状の所定幅の雨よけシートを巻取軸から軸と直行する方向に繰り出す形式や、所定の骨材を互いに垂直方向に重ね、その骨部材を扇形に、又は骨部材に取り付けたシートを扇形に開くようにした形式のものが知られている。
【０００３】
後者の１例として、特許文献１の「自動車用雨よけ装置」が知られている。この雨よけ装置は、自動車のドアーを開いたときに、開いたドアーの上方に張り出させる雨よけ部と、この雨よけ部の張り出し及び収納を行う駆動部と、駆動部を起動するスイッチとを備えて構成されている。この雨よけ装置の雨よけ部は、鉛直方向に軸支された支軸と、この支軸を中心として扇形に開閉する複数本の骨部材と、この骨部材に取り付けられた扇形の防水シートとを備えている。
【０００４】
そして、上記雨よけ部を収容体内に収容し、この雨よけ部を張り出し駆動する駆動部を起動スイッチにより起動させ、ドアーの開閉とは独立して雨よけ部を扇形に開閉する。骨部材は傘の骨と同様な部材で、略１２０度の範囲の間に約５本程度配置され、上記範囲内に亘って防水シートが取り付けられている。
【０００５】
他の例として、特許文献２の「自動車ドア用雨よけ」が知られている。この自動車ドア用雨よけは、複数枚の細長い板を重ね、これらの板の一端を共通の支軸で回転自在に枢支し、これらの板が扇子状に開くように各板の他端に板の幅方向に円弧状の係合用溝を形成し、隣接する板同士を係止するピンを２枚の板同士間の係合溝を貫通して設けて係止手段とした雨よけ本体と、この雨よけ本体を自動車の屋根又はドアーの上縁部に収容する収容部と、自動車ドアーを開いたとき雨よけ本体が扇子状に広がって張り出されるように上記板の張出側端をドアーに連結した張出手段とにより形成したというものである。
【特許文献１】特開２００１−４７８６３号公報
【特許文献２】特開平９−３１５１５９号公報
【発明の開示】
【発明が解決しようとする課題】
【０００６】
しかし、上記特許文献１の雨よけ装置では、骨部材には通常の雨傘と同等の細い金属材の骨が用いられ、この骨部材に防水シートが略１２０度の扇形の範囲に広がるように取り付けられている。骨部材は支軸中心に回転自在に、かつ片持ち状態に支持されているため、骨部材と防水シートの外周に大きな重力が作用する。このため、骨部材では防水シートの重力を支持できず、防水シート外周側の垂れ下がりを実用的に許容することができる範囲内で防止することは実際には困難である。
【０００７】
また、この特許文献１の雨よけ装置では、略９０〜１２０度程度の広がりが最大であり、これ以上の範囲に亘って広げることができず、扇形を広げる範囲に制限がある。この制限も骨部材が従来の傘に用いられている骨部材であるため、扇形の範囲を広げると、さらに防水シートの外周の垂れ下がりが大きくなり、実用性がなくなる。さらに、広げた骨部材を収縮して収容体内に収める際には、骨部材と骨部材間の防水シートが骨部材から垂れてはみ出し、従って収容するため扉を閉じる際にはこのはみ出し部分を収容体内に押込部により押し込むように構成されている。
【０００８】
しかし、このようなはみ出し部を形成すると、骨部材と防水シートを開閉する動作がスムーズではなく、はみ出し部をなくすことができないため、繰り返し使用すると耐久性が短くなり、動作を効率よくかつ防水シートが傷まずに使用できないため、実用化出来ないという問題もある。
【０００９】
特許文献２の「自動車ドアー用雨よけ」は、複数の細長い板を重ね、これらの板の一端を共通の支軸で枢支し、他端が扇子状に開くように隣接する板同士で係止手段を設けてなる雨よけ本体を、収容部をなすケースに収容して、自動車の屋根部に取り付けるというものである。この雨よけ装置は、防水シートを使用せず、細長い板の重なりだけを利用して雨除けとし、細長い板を少しずつずらして扇子状に広げるものであるから、広げる範囲は最大で約９０度程度であり、それ以上は広げることができない。広げる角度範囲を大きくしようとすると、複数の細長い板の重なりが多くなりすぎて、収納部の厚みが厚くなるからである。
【００１０】
この発明は、上記の問題に留意して、運転席等の入出口の付近に設置し、可能な限りコンパクトで、収納部に収納する厚みが全体的に薄く、１８０度まで広げて使用可能であり、かつ収納時に防水シートの重なりを適切に処理することにより防水シートの骨部材からのはみ出しを最小限に設定した自動車用雨よけ装置を提供することを課題とする。
【課題を解決するための手段】
【００１１】
この発明は、上記の課題を解決する手段として、支持軸に対し複数の骨部材を重ねて回転自在に取り付けた雨よけ部と、この雨よけ部を収納する収納部と、雨よけ部をその少なくとも１の骨部材を回転させて開閉する出力軸を有する駆動部とを備え、雨よけ部は複数の骨部材を半径方向に延びる帯状薄板とし、複数の骨部材の少なくとも上面に防水シートを被せ、かつ開放時に引出側となる骨部材は駆動部の出力軸に固定し、雨よけ部の外周円上で隣接する骨部材と骨部材間の防水シートの幅が、骨部材と防水シートを折畳んで収納部に収納する際に、骨部材の幅から垂れ下がるほどはみ出ない幅となるように設定した自動車用雨よけ装置の構成としたのである。
【００１２】
上記の構成としたこの発明の自動車用雨よけ装置は、収納部に収納された雨よけ部を駆動部により駆動して繰り出し、降雨時に運転席等へ乗降する際に運転者等が雨に濡れないように雨よけとして使用される。使用時に駆動部の出力軸により回転される開閉用の骨部材を先頭にして駆動すると、防水シートも開閉用の骨部材により引き出されて雨よけ部が開かれる。雨よけ部は、収納部の一端に取り付けた支持軸を中心にして１８０度まで大きく開くことができ、収納部の長さの約２倍の幅に広げることが出来る。
【００１３】
雨よけ部を収納部に収納する際には、開放時と反対方向に開閉用の骨部材を駆動し、防水シートを引き寄せて折畳みながら、骨部材と骨部材の間に挟みこみ、複数の骨部材について全てを重ねると収納が完了する。このとき、雨よけ部の外周円上で隣接する骨部材と骨部材間の防水シートの幅が、骨部材と防水シートを折畳んで収納部に収納する際に、骨部材の幅から垂れ下がるほどはみ出ない幅となるように設定されているから、２枚の骨部材が重なったときは、その間に挟まれるシートは骨部材の幅内に重ねられる。従って、複数の骨部材を重ねたとき、シートは骨部材の幅からはみ出て垂れ下る部分が殆どなく、収納がスムーズに行われることとなる。
【発明の効果】
【００１４】
この発明の自動車用雨よけ装置は、雨よけ部を、複数の骨部材を半径方向に延びる帯状薄板とし、複数の骨部材の少なくとも上面に防水シートを被せ、かつ開放時に引出側となる骨部材は駆動部の出力軸に固定し、雨よけ部の外周円上で隣接する骨部材と骨部材間の防水シートの幅が、骨部材と防水シートを折畳んで収納部に収納する際に、骨部材の幅から垂れ下がるほどはみ出ない幅となるように設定したから、運転席等の入出口の付近に設置し、可能な限りコンパクトで、収納部に収納する厚みが全体的に薄く、１８０度まで広げて使用可能であり、かつ収納時に防水シートの重なりを適切に処理することにより防水シートの骨部材からのはみ出しを最小限に設定することが出来ることとなる。
【００１５】
また、上記自動車用雨よけ装置において、骨部材を合成樹脂材とし、かつ雨よけ部を半円状に開いたとき骨部材と防水シートの重さで外周縁が垂れ下がりを生じない所定の弾力性を有する材料とすれば、外部から故意又は偶発的に人力が加えられ、あるいは衝撃が加えられて一時的に雨よけ部材の形状が変化しても永久変形することがなく、骨部材の変形で収納ができないという影響を最小限に抑制して必ず収納できるようにすることが出来るという効果が得られる。
【発明を実施するための最良の形態】
【００１６】
以下、この発明の実施の形態について、図面を参照して説明する。図１は、第１実施形態の自動車用雨よけ装置の外観斜視図である。この自動車用雨よけ装置Ａ１は、後述するように、外装型として形成されており、雨よけ部１０と、雨よけ部１０を収納する収納部２０と、雨よけ部１０を駆動する出力軸３０ｘを有する駆動部３０とを備えている。雨よけ部１０は、複数の骨部材１１を上下に重ね、これら骨部材１１の一端側に支持軸１３ｘを設け、かつこの支持軸１３ｘを収納部２０の一端側に取り付け、支持軸１３ｘを中心に回転自在に収納部２０に対して収納できるように設けられている。
【００１７】
雨よけ部１０の複数の骨部材１１は、所定幅の帯状板を重ねて形成されているが、それぞれの表面には骨部材１１を最大角度範囲の１８０度まで広げた状態で、扇形（半円形状）の全面をカバーする扇形の防水シート１２が被せて取り付けられている（防水シート１２の一端は後述する収納フレーム２１に、他端は蓋板２２に固定されている）。骨部材１１の裏面には、防水シートによるポケット１２’が縫い付けて設けられているが、この裏面のポケット１２’は、図５（雨よけ部１０を裏面から見た平面図）に示すように、外周から所定半径位置まで設けられている。１２ａは、防水シート１２の外周縁の縫い目、１４は帯状板の骨部材１１を挿入し、防水シート１２にポケット１２’を縫い付けて骨部材１１を固定するための縫い目である。
【００１８】
収納部２０は、収納フレーム２１と蓋板２２とを備え、蓋板２２は骨部材１１としての役目も兼ね備えている。収納フレーム２１は、断面が図２の（ｂ）図に示すように、半円弧状に形成され、長さ方向に所定長さに設けられて、外端が端板で閉じられている（後述する蓋板２２と同じく金属製（アルミ合金）、但しこの金属製材料に限定する必要はなく所定の強度と弾力性が得られれば、ユニレート樹脂（登録商標）やＡＢＳ樹脂材などでもよい）。この長さは、約５０ｃｍ程度であり、蓋板２２を扇形に開き雨よけ部１０を１８０度に全開すると全幅が約１ｍ程度となり、人の肩幅に略相当する長さ（最大で大略６５ｃｍ程度）とされている。収納フレーム２１の下部は、取付部２４を介して車体の窓枠溝に取り付けられる。収納フレーム２１の駆動部３０側には、上部に駆動部３０を取り付けるための取付板２３が設けられている。
【００１９】
さらに、実際の使用時に、上記長さはその半径長さで運転席窓側面から突き出されるため、駐車時に隣接する他の自動車との間隔に対しても配慮して設定したものである。実際の長さが上記長さより余り長すぎても、短すぎても適切ではない。長過ぎると隣の自動車にとって干渉する場合があり、短すぎると有効な雨よけとしての効果が得られないからである。又、この実施形態では蓋板２２の回転中心の支持軸１３ｘと駆動部３０は、自動車の進行方向の前方側に設置している。雨よけ部１０を全開したときに、雨よけ部１０により雨よけできる範囲を運転席への入出に有効に及ぼすためである。ただし、後述するように、後部座席用に利用するときなどでは、必ずしも進行方向の前方に限定する必要はない。さらに、図示の右ハンドルタイプの自動車でなく、左ハンドル車では、自動車用雨よけ装置Ａ１は、形状が対称に製作される。
【００２０】
上記取付部２４は、図２の（ｂ）図に示すように、取付フレーム２４ａ、取付座２４ｂ、取付ボルト、ナット２４ｃ、取付用脚部２４ｄ等の部材から構成されている。取付用脚部２４ｄを自動車窓溝にボルト、ナットにより着脱自在に取り付けされ、自動車用雨よけ装置Ａ１を着脱自在な外装型として形成している。取付フレーム２４ａは、収納フレーム２１の下部に予め一体に連結されており、他の部材２４ｂ〜２４ｄも順次ボルト、ナット等により固定されている。
【００２１】
蓋板２２は、断面がコ字状の金属製（アルミ合金）（但し、この金属製材料に限定する必要はなく所定の強度と弾力性が得られれば、ユニレート（登録商標）樹脂、或いはＡＢＳ樹脂材などでもよい）のフレーム材から形成され、回転中心から遠い外端は閉じられており、複数の骨部材１１の１つであるが、他の骨部材１１と異なり雨よけ部１０を閉じたときに雨よけ部１０を保護する保護カバーとしての機能も併有する。さらに、この蓋板２２は骨部材の１つとして、開閉する際に防水シート１２を引き出し、又は収縮するため、この蓋板２２に駆動部３０からの回転力が伝達される。蓋板２２は、その回転中心側端にフランジ部が上下２段に設けられている。
【００２２】
そして、下方のフランジ部の円形孔には支持軸１３ｘが挿通され、この支持軸１３ｘにより蓋板２２を収納部２０に対して回転自在にかつ水平に支持している。上方のフランジ部には駆動部３０の出力軸３０ｘの先端がスプラインにより連結され、これにより蓋板２２を駆動部により回転させる。なお、図示の例では蓋板２２は、コ字断面形状とし、端部を閉じ、回転中心を自動車の進行方向の前方側に設置するとしたが、これは蓋板２２内に収納した状態で走行する際に、内部に収納されている防水シート１２が内部に侵入する風でバタツクという現象のために耳障りな音が生じるのを防止するため、複数の骨部材１１と防水シート１２の収納時の厚さを極力小さくし、コンパクトにかつ出来るだけ風密状に収納することを目指したからである。
【００２３】
複数の骨部材１１は、図示の例では、材料としてユニレート（登録商標）（ポリエチレンテレフタレート（ＰＥＴ樹脂）を主原料に、ガラス短繊維、マイカ等を充填複合し、押出成型後加熱積層して形成される）が用いられており、硬質であるが所定以上の弾力性を有し、厚さは約１〜１．５ｍｍ程度、半径方向の長さは、骨部材１１と防水シート１２を折り畳んだときに上記蓋板２２内に収納できるように蓋板２２より少し短く、約４８ｃｍ程度である。骨部材１１の幅Ｂは、図５に示すように、防水シート１２の裏面のポケット１２’の幅Ｂ’より少し小さい幅Ｂ（約４０ｍｍ）であり、複数の骨部材１１の本数は図１、図５に示すように、合計で８本を使用している。
【００２４】
骨部材１１の本数と、幅Ｂ、長さ、厚さ、弾力性などの形状、機械特性、機能の設定は、防水シート１２を被せて１８０度まで広げたとしても、雨よけ部１０の全体の重さで外周が垂れ下がらない状態を保持するに十分な強度を全体として持ち得るようにそれぞれのサイズ、特性、機能などの条件を総合的に勘案して選択されている。ユニレート以外のＡＢＳ樹脂材（アクリルニトリル、ブタジエン、スチレンの３種類のモノマーを重合させた３元共重合樹脂）や他の樹脂材、或いは樹脂以外の部材でも良いが、上記のように雨よけ部１０の全体の重さで外周が垂れ下がらない状態を保持するに十分な強度を全体として持ち得るように上記各条件を勘案して設定する必要がある。
【００２５】
また、図５に示すように、特に防水シート１２の幅Ｃは、（外周縁上の長さとして）骨部材１１の幅Ｂの約２．５〜３倍程度の幅の関係に設定されている。これは、図２の（ｂ）図に示すように、骨部材１１と防水シート１２を収納部２０内に収納したときに、防水シート１２を骨部材１１と１１の間に重ねて薄い状態に折畳み、骨部材１１の幅範囲からはみ出す部分を極力小さくするためである。上記はみ出し部分を小さくすると、雨よけ部１０を開閉する際の開閉動作をスムーズとすることが出来、はみだし部分が垂れ下がることにより、蓋板を閉めることができないなどの不都合を防止することができる。
【００２６】
また、このような骨部材１１と防水シート１２との間に特別の関係を設定することにより、２つの骨部材１１の間に折りたたまれる防水シート１２の厚さを薄くして、雨よけ部１０の全体厚さを小さくでき、雨よけ装置全体をコンパクトな厚さ、大きさに形成できることとなる。さらに、骨部材１１をユニレート（登録商標）樹脂としたことにより、雨よけ部１０が不意に風などで吹き上げられて、雨よけ部１０全体が上向きに持ち上げられて変形しても、骨部材１１の弾力性、強度、防水シートの弾力性などの特性から、手で押さえれば直ちに元の状態に戻り（形状保持の特性による）、金属製の骨部材を用いた場合と異なり、故障が生じ難い構成部材を採用している。
【００２７】
骨部材１１の先端側は、直線状に切断されているが、回転中心側の端部１１ｆには円形の孔が形成されており、この円形孔に支持軸１３ｘを挿通し、この支持軸１３ｘに対して回転自在とされている。重ねて組みたてられる上記複数の骨部材１１の端部１１ｆと１１ｆとの間にはスペーサ１３ｓが挿入され、これにより骨部材１１を一定間隔に重ねて設けている。支持軸１３ｘは、収納部２０の下部に取り付けた取付板１３ａの先端部に対して固定され、垂直状に保持されている。
【００２８】
支持軸１３ｘは、図４に示すように、複数の骨部材１１を重ねた厚さに相当する長さの中空軸として形成され、断面が半円弧状の収納フレーム２１の下端に取り付けられた取付板１３ａの延長部１３Ｔの挿通孔に支持軸１３ｘを挿通した状態で凸形状の押え板１３Ｕとスペーサ１３Ｓとの間に上記取付板１３ａの延長部１３Ｔを挟んで支持軸１３ｘを固定、支持し、従って支持軸１３ｘは非回転に固定されている。複数の骨部材１１の支持軸１３ｘ側の端部１１ｆには、支持軸１３ｘを挿通するように挿通孔が設けられており、それぞれの挿通孔に対して複数の骨部材１１は回転自在である。複数の骨部材１１の端部１１ｆ間には、スペーサ１３Ｓがそれぞれ挿通して挟まれている。
【００２９】
支持軸１３ｘの上端は、蓋板２２のフランジ部２２ｆに接しており、このフランジ部２２ｆに固定して設けられたスペーサ３０Ｓのスプライン孔に駆動部３０の出力軸３０ｘがスプライン結合され、従って駆動部３０を収納フレーム２１の取付板２３に対して固定することにより蓋板２２の上端を支持し、これにより支持軸１３ｘは上端もしっかりと固定されている。なお、出力軸３０ｘの下端は支持軸１３ｘ内に挿入された中空軸３０ＸＴの上端に回転自在に接している。また、支持軸１３ｘの上端をフランジ部２２ｆ、収納フレーム２１に固定し、両端を固定支持するようにしてもよい。
【００３０】
防水シート１２は、図１、図２（ｂ）図に示すように、その開始端が収納フレーム２１の内側内面に接続、固定され、引出端が蓋板２２の内側の内端面に接続されている。一般の雨傘と同様のシート材料が用いられ、その表面に撥水処理が施されている。シートの材料は、ナイロン、ビニール、ポリエステルなどの化学繊維で製造されたものが使用されるが、このような化学繊維と天然繊維材料などを混合したものでも良い。なお、防水シート１２は、折り畳んだときに各骨部材１１の下に正確に折り重なるように折り線位置に予め折り目を雨よけ部１０の半径方向にプレスして入れておくと良い。また、防水シート１２は、片面だけでなく各骨部材１１の裏面に設けても良い。
【００３１】
上記駆動部３０は、駆動モータとその出力軸上に減速ギヤを備え、その外面をモータカバーで囲んで形成され、モータカバーの下面に取り付けた接続板３１を収納部２０の収納フレーム２１に固定ボルト３２により固定されている。減速ギヤ（図示せず）の出力軸が支持軸１３ｘの上端部で蓋板２２の上方のフランジ部に対してスプラインにより連結され、これにより蓋板２２を駆動部３０により回転させる。
【００３２】
図示省略しているが、駆動部３０は、遠隔操作スイッチの送信部からの信号を受信部で受信し、この信号とサイドブレーキの操作信号で電動モータを駆動するための制御信号を送信する電子制御部により操作され、電子制御部からの制御信号により電動モータを正転、逆転させて雨よけ部１０を開閉駆動する。遠隔操作スイッチは、雨よけ部１０を開閉する少なくとも２つのスイッチを有し、自動車のエンジン始動用のエンジンキーと一体に形成するか、または別体でリング等により一緒に保管される形態とされている。なお、電子制御部の構成の詳細については、図示省略するが、その制御動作については、雨よけ部１０とドアーの開閉の動作説明と共に後で簡単に説明する。
【００３３】
上記の構成とした第１実施形態の自動車用雨よけ装置Ａ１は、図６に示すように、自動車の運転席の付近の窓枠の上方に装着して使用される。この自動車用雨よけ装置Ａ１は、運転席で又は車外の遠隔位置より遠隔操作スイッチのスイッチ信号とサイドブレーキからの信号により開閉されて使用される。雨よけ部１０は、骨部材１１の先頭となっている蓋板２２に駆動部３０から回転力が伝達されると、蓋板２２を開くことにより、その後骨部材１１も防水シート１２を引き付けることにより、開閉が行われる。このとき、予め防水シート１２は、骨部材１１の下に骨部材の幅から大きくはみ出ない状態に収納されているものとする。
【００３４】
遠隔操作スイッチを操作するタイミングは、ドライバーが運転席に座って操作するか、又はドライバーが自動車から出て、再び運転席へ戻ろうとして外から操作する時である。ドライバーが運転席から出る際の操作では、サイドブレーキをかけるとその信号と、遠隔操作スイッチのスイッチを開の方向のスイッチを押した信号とにより、雨よけ部１０が開放される方向に駆動され、全開状態となるのを待って自動車のドアーを開放し、その状態で雨よけ部１０の下に入り、雨に濡れない状態で運転席から外へ出ることができる。サイドブレーキをかけていなければ、上記操作はできない。
【００３５】
反対に、車外から運転席に戻る際には、車外の適宜近くの位置で遠隔操作スイッチのスイッチを押して雨よけ部１０を開方向に操作すると、その信号により雨よけ部１０が開放される。雨よけ部１０の下に入り、雨にぬれない状態でドアーを空けて運転席に座り、運転席で遠隔操作スイッチの閉の方向のスイッチを押すと制御部からの制御信号により雨よけ部１０が閉じられる。そして、万一閉じる方向のスイッチ信号の操作を忘れたことにより雨よけ部１０が閉じていない場合でも、閉め忘れによる危険防止のため、サイドブレーキを解除すると、雨よけ部１０は強制的に閉じる方向の操作、駆動が行われる。
【００３６】
なお、上記第１実施形態では、駆動部３０の出力軸３０ｘの先端が蓋板２２にスプラインにより連結され、これにより蓋板２２を駆動部により回転させ、支持軸１３ｘを挿通するように挿通孔が設けられており、それぞれの挿通孔に対して複数の骨部材１１は回転自在であり、支持軸１３ｘは非回転に固定されているが、上記の支持軸１３ｘ、出力軸３０ｘの関係は上記構成に限定されず、雨よけ部１０を駆動部３０で有効に回転させることができ、かつ支持軸を保持できる機構であればよく、例えば支持軸１３ｘの上下端を収納フレーム２１に対して直接取り付けた１対の軸受けで軸支し、骨部材１１と共に回転自在としてもよい。
【００３７】
又、この実施形態の自動車用雨よけ装置Ａ１は、骨部材１１をユニレート（登録商標）樹脂のような形状を保持し得る部材で形成したから、収納する際に風で上向きに吹き上げられて、一時的に形状が変化しても永久変形することがなく、骨部材の変形で収納ができないという影響を最小限に抑制して収納が必ずできる。さらに、上記実施形態では、蓋板２２は骨部材、保護カバー、及び収納部材としての機能を併有する他の骨部材１１とは異なる別部材として設けているが、蓋板２２を引出側の骨部材１１とは別機能の部材として設けても良い。この場合、例えば蓋板２２は、単に収納部２０の入り口を閉じる蓋板として上下に開閉するように設けることができる。
【００３８】
或いは、引出側の骨部材１１は、先頭の骨部材１１だけでなく、例えば複数の骨部材１１のうち上下２段に引出動作を与え、２段目の骨部材１１で９０度まで最初の引出しをし、１段目の骨部材１１でさらに１８０度まで開くようにするという２段動作の開閉動作をさせるようにすることができる（閉じる動作は上記開の動作と反対）。なお、上記第１実施形態の自動車用雨よけ装置Ａ１は、自動車の窓枠の外側に装着する外装型としたが、図７に示すように、運転席付近の位置で自動車の車体外板内に設ける内装型の自動車用雨よけ装置Ａ２とすることもできる。
【００３９】
この第２実施形態の自動車用雨よけ装置Ａ２では、第１実施形態の自動車用雨よけ装置Ａ１と異なり、蓋板２２’の形状が単に入り口を閉じる蓋板として設けられていること、及び蓋板２２’が骨部材１１の機能を有さず、単に入り口を閉じる蓋板であること、又収納フレーム２１（図示せず）は、断面が半円弧状ではなくコ字状とし、車体外装板と内装壁との間に埋め込まれ、支持軸１３ｘはこのコ字状の収納フレーム２１に固定されている点、さらに雨よけ部１０を開閉する際の防水シートを引き出し、収縮させるための機能は、あくまで開閉される開閉用の平板状の骨部材１１が有する点が異なる。また、設置位置は、図７の例では、後部座席に適する位置に設置する点が異なる。その他の構成、作用は基本的に第１実施形態と同じであり、同じ構成、機能部材、作用については説明を省略する。
【００４０】
なお、上記第１実施形態の自動車用雨よけ装置Ａ１は、運転席の上付近に設置することを前提として説明したが、第２実施形態の自動車用雨よけ装置Ａ２のように、運転席の位置以外に後部座席の出入り口付近に取り付けても良い。この場合は、雨よけ部１０の回転中心位置（駆動部３０を含む）を自動車の進行方向の前方位置となるように設置する必要は必ずしもなく、後部座席への出入りの際に雨よけができるように雨よけ部１０による雨よけ範囲が有効な範囲に及ぶように設置すれば、後方位置に回転中心が来るように設置しても良い。
【産業上の利用可能性】
【００４１】
この発明の自動車用雨よけ装置では、雨よけ部は複数の骨部材を半径方向に延びる帯状薄板とし、複数の骨部材の少なくとも上面に防水シートを被せ、かつ開放時に引出側となる骨部材は駆動部の出力軸の回転方向に固定し、雨よけ部の外周円上で隣接する骨部材と骨部材間の防水シートの幅が、骨部材と防水シートを折畳んで収納部に収納する際に、骨部材の幅から垂れ下がるほどはみ出ない幅となるように設定したものであり、広く自動車の運転席等の付近に設置して運転席等から入出する際の雨よけ装置として利用できる。
【図面の簡単な説明】
【００４２】
【図１】第１実施形態の自動車用雨よけ装置Ａ１の外観斜視図
【図２】（ａ）同上装置の正面図、（ｂ）（ａ）図の矢視Ｂ−Ｂからの断面図
【図３】同上装置を全開した状態の正面図
【図４】（ａ）同上装置の支持軸１３ｘを含む主要部縦断面図、（ｂ）支持軸１３ｘを含む主要縦断面の部分拡大図
【図５】雨よけ部の裏面からの平面図
【図６】自動車用雨よけ装置Ａ１の開閉状態を示す説明図
【図７】第２実施形態の自動車用雨よけ装置Ａ２（内装型）の外観斜視図（（ａ）閉状態、（ｂ）全開状態）
【符号の説明】
【００４３】
１０      雨よけ部
１１      骨部材
１１ｆ    端部
１２      防水シート
１２ａ    外周縁
１３ｘ    支持軸
１３ａ    取付板
１３Ｓ    スペーサ
１３Ｔ      延長部
１３Ｕ      押え板
１４      縫い目
２０      収納部
２１      収納フレーム
２１Ｕ    下端部
２２      蓋板
２２ｆ    フランジ部
２３      取付板
２４      取付部
３０      駆動部
【図１】
2008074344.tif 000003
【図２】
2008074344.tif 000004
【図３】
2008074344.tif 000005
【図４】
2008074344.tif 000006
【図５】
2008074344.tif 000007
【図６】
2008074344.tif 000008
【図７】
2008074344.tif 000009